(57)【要約】【課題】  患者の状態を看護用カメラの撮像映像を基に判断し、起き上がりや離床等の特定の行動が発生したら看護師に対して通報し、その際患者映像或いは画像をナースコール親機や携帯端末に対してトラフィックの増大を招くこと無く送信する。【解決手段】  ＩＰカメラから成る看護用カメラ１０の撮像映像から患者の特定の姿勢を検出する映像解析回路２１を廊下灯２に具備させ、制御機５は映像解析回路２１が特定の姿勢を検出したら、ナースコール親機３と少なくとも１台の携帯端末４に異常発生信号を送信すると共に、看護用カメラ１０の撮像映像及び画像を制御機５及びナースコール親機３に送信させ、更に看護用カメラ１０から受信した画像を異常検知信号を送信した携帯端末４に対してＨＴＴＰＳでコンテンツとして送信する。【選択図】  図１
2015126361.tif 000002
【特許請求の範囲】
【請求項１】
患者が看護師を呼び出すためのナースコール子機と、呼出発生を報知する廊下灯と、患者からの呼び出しに応答するためのナースコール親機及び携帯端末と、患者を撮像するために病室に設置された看護用カメラと、それらの機器間の通信を制御する制御機とを有し、前記廊下灯、前記ナースコール親機、前記看護用カメラ、前記制御機の間が通信ネットワークを介して接続されて成るナースコールシステムにおいて、
前記看護用カメラの撮像映像から患者の特定の姿勢を検出したら、検出信号を前記制御機に送信する映像解析手段を有すると共に、前記看護用カメラがＩＰカメラであり、更に前記制御機と前記携帯端末とがインターネットプロトコルで通信するものであって、
前記制御機は、前記検出信号を受信したら前記ナースコール親機と少なくとも１台の前記携帯端末に異常発生信号を送信すると共に、前記看護用カメラの撮像映像及び／又は画像を前記制御機及び前記ナースコール親機に送信させ、
更に前記制御機は、前記看護用カメラから映像及び／又は画像を受信したら、前記異常発生信号を送信した前記携帯端末に対して、前記映像及び／又は画像をデータ伝送プロトコルでコンテンツとして送信することを特徴とするナースコールシステム。
【請求項２】
前記看護用カメラから送信される映像及び／又は画像は、マルチキャストで送信されることを特徴とする請求項１記載のナースコールシステム。
【請求項３】
前記制御機は、前記ナースコール親機及び前記携帯端末に対して前記異常発生信号をそれぞれユニキャストで送信することを特徴とする請求項１又は２記載のナースコールシステム。
【請求項４】
前記制御機は、前記看護用カメラと前記ナースコール子機の関連付けを記憶するカメラ・子機テーブル記憶部を有し、
前記異常発生信号の送信先機器から所定の応答操作が成されたら、前記検出信号送信元の看護用カメラに関連付けられている前記ナースコール子機を前記カメラ・子機テーブル記憶部から読み取り、読み取った前記ナースコール子機と応答操作された機器との間で通話路を形成することを特徴とする請求項１乃至３の何れかに記載のナースコールシステム。
【発明の詳細な説明】
【技術分野】
【０００１】
本発明は、病院や介護施設において患者が看護師等を呼び出すためのナースコールシステムに関し、特に患者を撮像するカメラを備えたナースコールシステムに関する。
【背景技術】
【０００２】
病室に看護用カメラを設置して、患者がナースコール子機を使用したナースコール呼出を行ったら、その患者を撮像する看護用カメラが起動して撮像映像が呼出信号と共にナースコール親機に送信され、ナースコール親機において患者映像を見ながら応答できるナースコールシステムがある（例えば、特許文献１参照）。
一方で、カメラの撮像映像からベッド上で患者の起き上がり等の特定の姿勢の変化を検出する装置が提案されている（例えば、特許文献２参照）。
【先行技術文献】
【特許文献】
【０００３】
【特許文献１】特開２００５−７９８５７号公報
【特許文献２】特開２０１３−１５３８４２号公報
【発明の概要】
【発明が解決しようとする課題】
【０００４】
上記従来のナースコールシステムでは、呼出操作した患者の映像或いは画像がナースコール親機に表示されるため、看護師は応答する際に患者の元まで赴くこと無く患者の状態を確認でき、スムーズな対応に活用できた。
しかしながら、ナースコール親機に加えて看護師が携行している携帯端末に対しても看護用カメラの撮像映像或いは画像を送信するのが好ましいが、通信データ量の大幅な増加を伴い制御機の負担になるため難しかった。
【０００５】
一方で、徘徊癖のある患者や歩行中の転倒が懸念される高齢者の患者に対しては、安全のため監視するのが望ましいが、常時監視するのは難しく看護師の負担になっていた。この点に関して、このような患者を監視する場合、看護用カメラの撮像映像から患者の起き上がり等を検知させて映像或いは画像と共に異常発生を看護師に通知できれば、看護師の負担を大きく軽減できる。
【０００６】
本発明はこのような問題点に鑑み、患者の状態を看護用カメラの撮像映像を基に判断して、起き上がりや離床等の特定の行動を検知したら看護師に対して通報させ、その際制御機への負担を増大させること無く患者映像或いは画像を合わせて送信するナースコールシステムを提供することを目的としている。
【課題を解決するための手段】
【０００７】
上記課題を解決する為に、請求項１の発明は、患者が看護師を呼び出すためのナースコール子機と、呼出発生を報知する廊下灯と、患者からの呼び出しに応答するためのナースコール親機及び携帯端末と、患者を撮像するために病室に設置された看護用カメラと、それらの機器間の通信を制御する制御機とを有し、廊下灯、ナースコール親機、看護用カメラ、制御機の間が通信ネットワークを介して接続されて成るナースコールシステムにおいて、看護用カメラの撮像映像から患者の特定の姿勢を検出したら、検出信号を制御機に送信する映像解析手段を有すると共に、看護用カメラがＩＰカメラであり、更に制御機と携帯端末とがインターネットプロトコルで通信するものであって、制御機は、検出信号を受信したらナースコール親機と少なくとも１台の携帯端末に異常発生信号を送信すると共に、看護用カメラの撮像映像及び／又は画像を制御機及びナースコール親機に送信させ、更に制御機は、看護用カメラから映像及び／又は画像を受信したら、異常発生信号を送信した携帯端末に対して映像及び／又は画像をデータ伝送プロトコルでコンテンツとして送信することを特徴とする。
この構成によれば、患者の特定の姿勢を自動検知して看護師に通知するので、患者の起き上がり等を検知したら通知させれば看護師は患者を常時監視する必要が無くなる。よって、看護師の負担を軽減できる。
また、異常発生の通知と共に患者映像又は画像が携帯端末に対しても送信されるため、看護師は状況を速やかに把握できスムーズに対処できるし、制御機から携帯端末へはデータ伝送プリトコルでコンテンツとして患者映像又は画像が送信されるため、制御機の負担を軽減できる。更に、インターネットプロトコルで動作する携帯端末の機能を使用することで制御しやすいシステムを構築できる。
【０００８】
請求項２の発明は、請求項１に記載の構成において、看護用カメラから送信される映像及び／又は画像は、マルチキャストで送信されることを特徴とする。
この構成によれば、看護用カメラからの映像及び／又は画像の送信はマルチキャストで実施されるため、送信先が複数存在してもトラフィックの増大を防ぐことができる。
【０００９】
請求項３の発明は、請求項１又は２に記載の構成において、制御機は、ナースコール親機及び携帯端末に対して異常発生信号をユニキャストで送信することを特徴とする。
この構成によれば、異常検知信号送信先が複数、特に呼出先の携帯端末が複数であっても異常発生信号はユニキャストで送信されるため、それぞれの呼出先に対して順次送信されてＡＣＫによる受信確認を行うため、異常発生信号の失報を防ぐことができる。
【００１０】
請求項４の発明は、請求項１乃至３の何れかに記載の何れかに記載の構成において、制御機は、看護用カメラとナースコール子機の関連付けを記憶するカメラ・子機テーブル記憶部を有し、異常発生信号の送信先機器から所定の応答操作が成されたら、検出信号送信元の看護用カメラに関連付けられているナースコール子機をカメラ・子機テーブル記憶部から読み取り、読み取ったナースコール子機と応答操作された機器との間で通話路を形成することを特徴とする。
この構成によれば、異常発生の通知を受けた看護師は、応答操作のみでナースコール子機を選択することなく通話を行うことができ、応答操作することで患者を安心させたり注意を促すことができ、異常発生元の患者の元へ赴かなくても対処することが可能となり、看護師の負担を軽減できる。
【発明の効果】
【００１１】
本発明によれば、患者の特定の姿勢を自動検知して看護師に通知するので、患者の起き上がり等を検知したら通知させれば看護師は患者を常時監視する必要が無くなる。よって、看護師の負担を軽減できる。また、異常発生の通知と共に患者映像又は画像が携帯端末に対しても送信されるため、看護師は状況を速やかに把握できスムーズに対処できるし、制御機から携帯端末へはデータ伝送プロトコルでコンテンツとして患者映像又は画像が送信されるため、制御機の負担を軽減できる。更に、インターネットプロトコルで動作する携帯端末の機能を使用することで制御しやすいシステムを構築できる。
【図面の簡単な説明】
【００１２】
【図１】本発明に係るナースコールシステムの一例を示す構成図である。
【図２】制御機の要部ブロック図である。
【発明を実施するための形態】
【００１３】
以下、本発明を具体化した実施の形態を、図面を参照して詳細に説明する。図１は本発明に係るナースコールシステムの一例を示す構成図であり、１は患者が看護師を呼び出すためにベッド毎に設置されたナースコール子機（以下、単に「子機」と称する。）、２は病室の入口に設置されて呼び出しの発生を報知する廊下灯、３はナースステーションに設置されて患者からの呼び出しに応答するためのナースコール親機（以下、単に「親機」と称する。）、４は看護師が携行する携帯端末、５は機器間の通信を制御する制御機、６は患者情報を蓄積するナースコールサーバ、８は携帯端末４の通話接続を行うための交換機、９は携帯端末４と制御機５との通信を中継するアクセスポイント、１０は患者を撮像するために病室内に設置された看護用カメラである。
【００１４】
廊下灯２、親機３、制御機５、ナースコールサーバ６、交換機８、アクセスポイント９、及び看護用カメラ１０はＬＡＮ１３を介して接続され、これらの機器はインターネットプロトコルにより通信が行われる。また、子機１は伝送線Ｌ１を介して廊下灯２に接続されている。
【００１５】
子機１は、ナースコール呼出を行う呼出握りボタン１ａと、呼出握りボタン１ａが接続されて看護師と通話するためのマイク及びスピーカを備えたプレート子機１ｂとで構成され、病室毎に廊下灯２に接続されている。
【００１６】
廊下灯２は、呼び出しが発生したら点滅或いは点灯して呼出発生を報知する通知灯２ａ、設置した病室の患者情報を表示する患者情報表示部２ｂを有し、子機１がナースコール呼出操作されたら呼出信号をＬＡＮ１３を介して制御機５に送信する。
そして、廊下灯２には看護用カメラ１０の撮像映像から患者の姿勢を解析する映像解析回路２１が組み込まれている。映像解析回路２１は、病室内に設置された看護用カメラ１０の撮像映像を基に、例えば患者の起き上がりを監視し、起き上がった姿勢を検出したら制御機５に異常発生信号を送信する。
【００１７】
親機３は、呼び出しに応答するためのハンドセット３１、患者情報や映像を表示する表示部３２を備えた卓上親機３ａと、パーソナルコンピュータから成り患者情報の入力や表示を行うＰＣ親機３ｂとで構成されている。
【００１８】
携帯端末４は、アクセスポイント９を介してインターネットプロトコルにより制御機５と通信を実施するＩＰ通信端末であり、各種情報を表示するディスプレイ４ａを備えたスマートフォンと称される端末が使用される。尚、携帯端末４には、予め或いは起動時に制御機５から画像を入手するためのアプリケーションソフトウェアがインストールされる。
【００１９】
看護用カメラ１０は、撮像映像と撮像画像の双方を同時に送信するデュアルストーム配信を実施するＩＰカメラであり、指定された機器に対して撮像映像及び画像を送信する。
【００２０】
図２は制御機５の要部を回路ブロックで示している。制御機５は、図２に示すように子機１毎の呼出先機器等を記憶した呼出先記憶部５１、看護用カメラ１０と子機１を関連付けたカメラ・子機テーブル記憶部５２、受信した画像を携帯端末４に送信するために一時保存するコンテンツ保存部５３、機器間の通信を制御すると共に制御機５の各回路を制御する制御機ＣＰＵ５４、ＬＡＮ１３を介して他の機器と通信するための制御機ＩＦ５５等を有している。尚、呼出先記憶部５１には、子機１と看護師の関連付け、看護師と携帯端末４の関連付け等が登録されて記憶されている。
【００２１】
このように構成されたナースコールシステムは以下のように動作する。ナースコールシステムは、子機１が操作されてナースコール呼出が行われて看護師と通話する基本動作に加えて、映像解析回路２１が看護用カメラ１０の撮像映像から患者の起き上がりを検知したらそれを看護師に通知する動作を実施し、先ず本発明の要部である患者の起き上がり検知動作を図１を参照して説明する。
【００２２】
看護用カメラ１０は制御機５により制御され、親機３の所定の操作により監視が必要な患者が発生するとそのベッド番号が登録され、登録されたベッドに関連付けられている看護用カメラ１０が起動する。こうして撮像を開始した看護用カメラ１０の撮像映像は、廊下灯２へ送信される。このとき、映像信号は、例えばＭＪＰＥＧ（Ｍｏｔｉｏｎ−ＪＰＥＧ）方式により送信（Ｓ１）される。
【００２３】
映像を受信した映像解析回路２１は、映像から患者の起き上がりを監視し、起き上がり発生と判断したら検知信号を制御機５に送信する。尚、この制御機５に送信される検知信号には、看護用カメラ１０の撮像対象となっているベッド番号情報及び病室番号情報等から成る発生元情報が添付されている。
【００２４】
検知信号を受信した制御機５は、制御機ＣＰＵ５４の制御により親機３に異常発生信号を送信するのに加えて、異常発生信号に含まれている発生元情報から、呼出先記憶部５１を参照して発生元の子機１に関連付けられている１台或いは複数台の携帯端末４を特定し、その携帯端末４に対して後述するＵＲＬ情報を添付した異常発生信号を送信する。このとき、制御機５から親機３及び携帯端末４へ送信される異常発生信号はユニキャストで実施される。
【００２５】
また制御機ＣＰＵ５４は、検知信号送信元の看護用カメラ１０に対して映像（及び画像）の送信先情報を送信する。ここでは、親機３及び制御機５を送信先に指定する。
【００２６】
映像の送信先情報を受信した看護用カメラ１０は、撮像している映像及び画像を指定された親機３及び制御機５に送信する。このとき、映像及び画像はマルチキャストで送信され、例えば親機３に対してはＨ．２６４マルチキャストで送信（Ｓ２）され、制御機５に対してはＭＪＰＥＧマルチキャストで送信（Ｓ３）される。
看護用カメラ１０から画像を受信した制御機５では、静止画としてコンテンツ保存部５３に保存し、携帯端末４から取得要求を受けたら送信する。
【００２７】
具体的に、制御機ＣＰＵ５４は親機３及び携帯端末４に異常発生信号を送信するが、携帯端末４に対してはコンテンツ保存部５３のＵＲＬ情報を添付してユニキャストで送信する。この異常発生信号を受信した携帯端末４は、信号に添付されているＵＲＬ情報に基づき制御機５のコンテンツ保存部５３にアクセスし、静止画が貼り付けられたコンテンツをＨＴＴＰＳにより受信（Ｓ４）してディスプレイ４ａに入手した静止画を表示する。この結果、異常発生通知音の鳴動と共に患者画像が携帯端末４のディスプレイ４ａに表示される。
尚、ＨＴＴＰＳは、データ伝送プロトコルであり「Hypertext Transfer Protocol Secure」の略である。
【００２８】
一方、呼出信号に加えて映像を受信した親機３では、異常発生通知音が鳴動し、受信した映像が表示部３２に表示される。
【００２９】
こうして異常発生通知音が鳴動して映像或いは画像が表示された親機３或いは携帯端末４が、例えば通話ボタンを押下する所定の応答操作が成されると、制御機ＣＰＵ５４の制御により応答操作した機器と異常発生元のベッドに関連付けられている子機１との間で通話路が形成される。制御機ＣＰＵ５４は、機器の応答操作により応答信号を受信すると、カメラ・子機テーブル記憶部５２から検知信号送信元の看護用カメラ１０が撮像しているベッドに関連付けられている子機１を特定し、その子機１と応答信号送信元の機器との間の通話路を形成する。
この結果、異常発生の通知を受けた看護師は、応答操作することで異常発生元の患者の元へ赴かなくても安心させたり注意を促す対処ができ、看護師の負担を軽減できる。
【００３０】
このように、患者の起き上がった姿勢を自動検知して看護師に通知するので、看護師は患者を常時監視する必要が無くなり負担を軽減できる。そして、異常発生の通知と共に患者画像が携帯端末４に対しても送信されるため、看護師は状況を速やかに把握でき、スムーズに対処できるし、制御機５から携帯端末４へはＨＴＴＰＳでコンテンツとして画像が送信されるため、制御機５の負担を軽減できるし、暗号化して送信できプライバシー保護に有効である。
また、インターネットプロトコルで動作する携帯端末４の機能を使用することで制御しやすいシステムを構築できる。
更に、制御機５が送信に関わる映像情報は、携帯端末４に対して送信する静止画のみであるため、送信先の携帯端末４が複数であっても制御機５に対する通信負荷を軽減できるし、トラフィックの増大も防止できる。
また、制御機５から親機３及び携帯端末４へ送信される異常発生信号はユニキャストで送信されるので、異常検知信号送信先が複数であっても順次送信され、それぞれの呼出先に対してＡＣＫによる受信確認を行うため、異常発生信号の失報を防ぐことができる。
更に、看護用カメラ１０からの映像及び画像の送信はマルチキャストで実施されるため、送信先が複数であっても送信する信号が共通するため、トラフィックの増大を防ぐことができる。
【００３１】
次に、子機１が操作されるナースコール呼出を簡単に説明する。子機１が操作されてナースコール呼出が発生すると、呼出信号が子機１から廊下灯２を介して制御機５に送信される。呼出信号を受信した制御機５は、親機３に呼出信号を送信するのに加えて制御機ＣＰＵ５４が呼出信号に含まれている呼出元情報を読み取って、呼出先記憶部５１を参照して呼出元の子機１に関連付けられている１台或いは複数台の携帯端末４を特定し、その携帯端末４に対して呼出信号を送信する。このとき、制御機５から親機３及び携帯端末４への呼出信号の送信はユニキャストで実施される。
また制御機ＣＰＵ５４は、呼出元のベッド（子機１）に関連付けられている看護用カメラ１０をカメラ・子機テーブル記憶部５２から読み取って、特定した看護用カメラ１０に対して撮像開始信号、映像及び画像の送信先情報を送信する。
【００３２】
撮像開始信号及び映像の送信先情報を受信した看護用カメラ１０は、撮像を開始して映像及び画像を指定された送信先に送信する。ここでは、親機３及び制御機５が送信先に指定されて映像及び画像がマルチキャストで送信される。
看護用カメラ１０から画像を受信した制御機５では、静止画としてコンテンツ保存部５３に保存し、携帯端末４から取得要求を受けたら送信する。
【００３３】
具体的に、制御機ＣＰＵ５４は親機３及び携帯端末４に呼出信号を送信するが、携帯端末４に対してはコンテンツ保存部５３のＵＲＬ情報を添付してユニキャストで送信する。この呼出信号を受信した携帯端末４は、呼出信号に添付されているＵＲＬ情報に基づき制御機５のコンテンツ保存部５３にアクセスし、静止画が貼り付けられたコンテンツをＨＴＴＰＳにより受信してディスプレイ４ａに入手した静止画を表示する。この結果、呼出音の鳴動と共に患者画像が携帯端末４に表示される。
【００３４】
一方、呼出信号に加えて映像を受信した親機３では、呼出音が鳴動し、受信した映像或いは画像が表示部３２に表示される。
【００３５】
こうして呼出音が鳴動して映像或いは画像が表示された親機３或いは携帯端末４を応答操作すれば、制御機ＣＰＵ５４の制御により応答操作した機器と子機１との間で通話路が形成され、看護師は患者映像或いは画像を見ながら患者と通話することができる。
【００３６】
このように、ナースコール呼出に対しても、呼出時に親機３に対しては映像を表示させ、携帯端末４に対しては画像（静止画）を表示させることができる。しかも、制御機５が送信に関わる映像情報は、携帯端末４に対して送信する静止画のみであるため、画像を送信する携帯端末４が複数であっても制御機５に対する通信負担を軽減できるし、トラフィックも軽減できる。
【００３７】
尚、上記実施形態は、患者の起き上がりを異常発生と判断する場合について説明したが、異常発生と判断する患者の姿勢は、起き上がりに限定するものではなくその後の立ち上がった状態としても良いし、離床する段階で異常発生と判断しても良い。
また、看護用カメラ１０をデュアルストーム配信するＩＰカメラとしたが、映像のみ配信する構成であっても良いし、画像のみ配信する構成としても良い。映像のみ送信する構成の場合は、制御機５において映像データを基に携帯端末４に送信する静止画を生成すれば良い。
更に、制御機５から携帯端末４に送信されるのは画像としているが、看護用カメラから映像を受信する場合は映像を携帯端末４に送信しても良い。この場合、例えばデータ量を削減した映像とすれば制御機５に対する負担も抑制できる。
また、映像解析回路２１を廊下灯２に設けているが、制御機５或いは看護用カメラ１０自体に具備させても良いし、別体として看護用カメラ１０毎に或いは病室毎に設けても良い。
また、ＬＡＮ１３を介して接続した構成としたが、インターネットプロトコルを用いることでＷＡＮ等の汎用通信ネットワークを使用しても良い。
【符号の説明】
【００３８】
１・・ナースコール子機、２・・廊下灯、３・・ナースコール親機、４・・携帯端末、４ａ・・ディスプレイ、５・・制御機、１０・・看護用カメラ、１３・・ＬＡＮ（通信ネットワーク）、２１・・映像解析回路（映像解析手段）、３２・・表示部、５１・・呼出先記憶部、５２・・カメラ・子機テーブル記憶部、５３・・コンテンツ保存部、５４・・制御機ＣＰＵ。
【図１】
2015126361.tif 000003
【図２】
2015126361.tif 000004